(57)【要約】【課題】箱本体の側壁の深さが浅い箱であっても、隣接する側壁どうしの結合強度を十分に保持できる包装用箱を提供する。【解決手段】箱本体Ａａが、底壁１の周縁に折目を介して前後左右の四側壁２、３、４、５が連設され、前後側壁２、３の両端縁に折目を介して連設された連結片１０、１１によって前後側壁が隣り合う左右側壁に連結されると共に、該左右側壁の上縁に折目を介してフラップ８、９が連設されている。前記連結片１０、１１は、側壁の高さと同高の連結片本体１０ａ、１１ａと連結片本体の上縁に折目を介して連設された接合部１０ｂ、１１ｂとを備え、前記接合部１０ｂ、１１ｂが前記フラップ８、９の内面に接合されている。【選択図】      図１
2004323065.tif 000002
【特許請求の範囲】
【請求項１】
箱本体が底壁の周縁に折目を介して前後左右の四側壁が連設され、前後側壁の両端縁に折目を介して連設された連結片によって前後側壁が隣り合う左右側壁に連結されると共に、該左右側壁の上縁に折目を介してフラップが連設されてなる包装用箱において、
前記連結片は、側壁の高さと同高の連結片本体と、本体の上縁に折目を介して連設された接合部とを備え、少なくとも前記接合部が前記フラップの内面に接合されてなることを特徴とする包装用箱。
【請求項２】
前記連結片本体の一部が側壁対応部位に接合されてなる請求項１に記載の包装用箱。
【発明の詳細な説明】
【０００１】
【発明の属する技術分野】
この発明は、包装用箱、例えば、ファーストフードの持ち帰りに好適な包装用箱に関する。
【０００２】
【従来の技術】
従来、この種の包装用箱として、図６に示すように蓋体（Ｂｂ）が一体的に連設された箱本体（Ｂａ）の前後側壁（５２）（５３）の両端から連設された接合片（６０）（６０）（６１）（６１）が隣接する左右両側壁（５４）（５５）の端部に貼着されることにより、前後側壁（５２）（５３）と左右両側壁（５４）（５５）とが連結されてなる包装用紙箱（Ｂ）が公知である。また、この包装用紙箱（Ｂ）は、左右両側壁（５４）（５５）の後側壁がわ端部及び前側壁（５２）の左右両端部に斜状折目（７０）（７０）（７０）（７１）（７１）が設けられて、使用に供するまでは扁平な折り畳み状態としておくものとなされている。前記斜状折目（７１）（７１）は、前側壁（５２）に設けられずに、左右両側壁（５４）（５５）の前側壁（５２）がわの端部に設けられることもある。
【０００３】
而して、この種の包装用紙箱については、最近でも種々の改良案が提案がされている（特許文献１参照）。
【０００４】
【特許文献１】
実公平８−８９８２号公報（第１図）
【０００５】
【発明が解決しようとする課題】
いずれにせよ、この種の包装用箱が扁平に折り畳めるものであるためには、前後両側壁（５２）（５３）の接合片（６０）（６１）は、左右両側壁（５４）（５５）の斜状折目（７０）（７０）より上方の対応部位に接合されなければならない。
【０００６】
しかしながら、前記対応部位の面積は、側壁の深さが浅くなればなるほど狭小となり、これに従って接合片が貼着される面積も狭小となることはもとより、前後側壁（５２）（５２）により一層近接した部位において接合されなければならないので、紙の弾性反発力が作用してその接合が困難となることがある。
【０００７】
この発明は、このような課題を解決することを目的としてなされたもので、箱本体の側壁の深さが浅い箱であっても、隣接する側壁どうしの結合強度を十分に保持できる包装用箱を提供することを目的とするものである。
【０００８】
【課題を解決するための手段】
而して、上記目的を達成するために、この発明は、箱本体が底壁の周縁に折目を介して前後左右の四側壁が連設され、前後側壁の両端縁に折目を介して連設された連結片によって前後側壁が隣り合う左右側壁に連結されると共に、該左右側壁の上縁に折目を介してフラップが連設されてなる包装用箱において、前記連結片は、側壁の高さと同高の連結片本体と本体の上縁に折目を介して連設された接合部とを備え、少なくとも前記接合部が前記フラップの内面に接合されてなることを特徴とする包装用箱、を要旨とする。
【０００９】
この発明によれば、前記連結片は、側壁の高さと同高の連結片本体と本体の上縁に折目を介して連設された接合部とを備え、少なくとも前記接合部が前記フラップの内面に接合されているので、箱本体の深さが浅い箱であっても、側壁のみでは得られることのない位置及び広い接合面積が確保され、隣接する側壁どうしの結合強度を十分に保持できる包装用箱を提供することができる。
【００１０】
前記連結片本体の一部が側壁対応部位に接合されても良い。
【００１１】
なお、この発明は、蓋体が箱本体と一体的に形成されるいわゆるＢ式はもとより、蓋体と箱本体とが別体として形成されるいわゆるＣ式の箱のいずれにも採用されるものである。
【００１２】
【発明の実施の形態】
以下、この発明に係る包装用箱を図面に示す実施形態に基づいて説明する。この実施形態の包装用箱（Ａ）は、箱本体（Ａａ）に蓋体（Ａｂ）が一体的に連設され、腰のある紙から作成されてなるいわゆるＢ式の蓋付き包装用紙箱で、図４に示す展開状態から所要箇所を接合された後、所期する形態に組み立てられるものである。
【００１３】
図４は、この蓋付き包装用紙箱（Ａ）をその内面を表面として示した展開状態の平面図で、箱本体（Ａａ）の長方形の底壁（１）の周縁に折目（２１）（２１）（２２）（２２）を介して前後左右の側壁（２）（３）（４）（５）が連設されると共に、後側壁（３）の上縁に折目（２３）を介して蓋体（Ａｂ）の天板（６）が連設されている。前側壁（２）の上縁には折目（２４）を介して前側壁補強板（７）が連設され、該前側壁補強板（７）の下縁には折目（２４ａ）を介して底壁重合片（７ａ）が連設されている。また、前側壁（２）の左右両側縁には、前側壁（２）と左右両側壁（４）（５）とを連結するための連結片（１０）（１０）が連設されている。この連結片（１０）は、前側壁（２）の両側縁から折目（３０）を介して連設された連結片本体（１０ａ）と、該連結片本体（１０ａ）の上縁に折目（２９）を介して連設された接合部（１０ｂ）とから構成される。前記連結片本体（１０ａ）は、その高さが左右両側壁（３）（４）の高さと同じ高さに設定されている。
【００１４】
左右両側壁（４）（５）の上縁には折目（２５）（２６）を介して細幅のフラップ（８）（９）が連設されている。この左右両側壁（４）（５）及びその上方のフラップ（８）（９）には、左右両側壁（４）（５）の前後両下隅部を基端とし、４５度の角度で上方のフラップ（８）（９）の先端縁まで延びた斜状折目（２７）（２７）（２８）（２８）が設けられている。この斜状折目（２７）（２７）（２８）（２８）は左右両側壁（４）（５）を折り畳んで箱本体を扁平にするためのものである。
【００１５】
後側壁（３）の左右両側縁には、後側壁（３）と左右両側壁（４）（５）とを連結するための連結片（１１）（１１）が連設されている。この連結片（１１）は、前記前側壁（２）の連結片（１０）と対称的に設けられているものであり、後側壁（３）の両側縁から折目（３１）を介して連設された連結片本体（１１ａ）と、該連結片本体（１１ａ）の上縁に折目（３２）を介して連設された接合部（１１ｂ）とから構成される。前記連結片本体（１１ａ）は、その高さが左右両側壁（３）（４）の高さと同じ高さに設定されている。
【００１６】
前記蓋体天板（６）の左右両側縁には、折目（３３）（３３）を介して蓋体天板補強板（１２）（１２）が連設される一方、先端縁には、折目（３４）を介して差し込み片（１３）が連設されている。
【００１７】
図中、（１６）は、連結片接合部（１０ｂ）（１１ｂ）を折り曲げやすくするための切欠、（１８ａ）は、蓋体天板補強板（１２）の内面に設けられた接着用凸部、（１８ｂ）は、連結片接合部（１０ｂ）（１１ｂ）の外面に設けられた接着用凸部、（１８ｃ）は、フラップ（８）（９）内面の前記連結片接合部接着用凸部（１８ｂ）との対応位置に設けられた接着用凸部である。
【００１８】
而して、この蓋付き包装用箱（Ａ）は、使用に供するまでは、箱本体の側壁（２）（３）（４）（５）が底壁（１）に倒伏され、蓋体天板（６）が、側壁（２）（３）（４）（５）の上に重ね合わされた扁平な折り畳み状態に置かれるものであるが、前記展開状態からこの折り畳み状態に至る製作過程について説明する。
【００１９】
先ず、前記展開状態から図５に示すように、左右の蓋体天板補強板（１２）を内側に折り返し、蓋体天板補強板（１２）を蓋体天板（６）内面に貼着する。また、後側壁（３）の連結片（１１）（１１）を後側壁（３）及び蓋体天板（６）の内面に重ね合わせ状態に折り返す。
【００２０】
次に、前側壁補強板（７）と底壁重合片（７ａ）とを合一的に内側に折り返し、前側壁補強板（７）を前側壁の内面に貼着すると共に、底壁重合片（７ａ）を底壁（１）内面に重合貼着する。更に左右両側壁（４）（５）及びフラップ（８）（９）を合一的に底壁（１）内面がわに折り返した後、斜状折目（２７）（２７）（２８）（２８）によって区画されるフラップ（８）（９）及び左右両側壁（４）（５）の三角形状部（８ａ）（９ａ）を外側に折り返す。また、前側壁（２）の接合片（１０）（１０）を内側に折り返して前側壁補強板（７）の上に重ね合わせる。図５は、ここまでの状態を示すものである。
【００２１】
そして、前記三角形状部（９ａ）（９ａ）…の接着用凸部（１８ｃ）（１８ｃ）に接着剤を塗布した後、前側壁補強板（７）及び前側壁（２）及び連結片（１０）（１０）を合一的に底壁内面側に折り返して、連結片接合部（１０ａ）と三角形状部（９ａ）（９ａ）とを貼着する。その後、後側壁（３）、蓋体天板（６）及び連結片（１０）（１０）を合一的に底壁（１）内面側に折り返して、連結片接合部（１０ａ）（１０ａ）と三角形状部（９ａ）（９ａ）とを貼着することにより、この包装用紙箱の使用に供するまでの扁平な折り畳み状態が得られる。
【００２２】
使用に際しては、該扁平な折り畳み状態から、先ず蓋体天板（６）を引き起こすと自動的に起立させられる後側壁（３）に連動して、左右両側壁（４）（５）及び前側壁（２）が起立させられる。
【００２３】
このような開蓋状態の箱本体（Ａａ）に被包装物を収納した後、フラップ（８）（９）を内側に向けて水平に折り曲げると、左右両側壁（４）（５）の安定した起立状態が得られる。そして、（１３）を蓋体天板から下向きに折り曲げて、前側壁補強板を抑え付けるようにして箱本体内に差し込むと、図３（ロ）に示すように、底壁重合片（７ａ）が底壁（１）に重合した閉蓋状態が得られることになる。なお、この底壁重合片（７ａ）は、連結片接合部（１０ｂ）が前側壁補強板（７）より飛び出すことなく十分な接着強度が得られる場合は、必ずしも設けられなければならないものではない。
【００２４】
【発明の効果】
上述の次第で、この発明は、箱本体が底壁の周縁に折目を介して前後左右の四側壁が連設され、前後側壁の両端縁に折目を介して連設された連結片によって前後側壁が隣り合う左右側壁に連結されると共に、該左右側壁の上縁に折目を介してフラップが連設されてなる包装用箱において、前記連結片は、側壁の高さと同高の連結片本体と本体の上縁に折目を介して連設された接合部とを備え、少なくとも前記接合部が前記フラップの内面に接合されているので、箱本体の深さが浅い箱であっても、側壁のみでは得られることのない位置及び広い接合面積が確保され、隣接する側壁どうしの結合強度を十分に保持できる包装用箱を提供することができる。
【００２５】
前記連結片本体の一部が側壁対応部位に接合される場合には、隣接する側壁どうしのより一層強固な結合状態が得られる。
【図面の簡単な説明】
【図１】この発明に係る包装用箱の一実施形態の斜視図である。
【図２】同閉蓋状態の斜視図である。
【図３】（イ）は、図２のＩＩＩ−ＩＩＩ線断面図、（ロ）は、図２のＩＶ−ＩＶ線断面図である。
【図４】図１の包装用箱の展開状態の平面図である。
【図５】同組立途上の平面図である。
【図６】従来の包装用箱の斜視図である。
【符号の説明】
Ａ…蓋付き包装用紙箱
Ａａ…箱本体
Ａｂ…蓋体
１…底壁
２…前側壁
３…後側壁
４…左側壁
５…右側壁
８、９…フラップ
１０、１１…連結片
１０ａ、１１ａ…連結片本体
１０ｂ、１１ｂ…接合部
２５、２６、３０、３１…折目
【図１】
2004323065.tif 000003
【図２】
2004323065.tif 000004
【図３】
2004323065.tif 000005
【図４】
2004323065.tif 000006
【図５】
2004323065.tif 000007
【図６】
2004323065.tif 000008